(57)【要約】【課題】少ない部品員数で遮へい板の浮き上がり、および水平方向のずれを防止できるとともに、容易に遮へい板を取付けることのできるエレベーターのかご天井構造の提供。【解決手段】かご天井３の目地枠４に取付けられる遮へい板５を備えたエレベーターのかご天井構造において、遮へい板５の浮き上がりおよび水平方向のずれを防止する係止手段１０を、遮へい板５の互いに対向した二方向に対として配置するとともに、係止手段１０が、遮へい板端部の立ち上がり辺５ａおよび水平辺５ｂに連続して形成される切欠き１１と、目地枠４に取付けられるブラケット１２ａ、およびブラケット１２ａに装着されるボルト１２ｂおよびナット１２ｃを備え、切欠き１１に遊嵌される遊嵌体１２とから構成するようにしたものである。これにより、一対の係止手段１０で遮へい板５のずれを防止可能とした。【選択図】図３
2010149969.tif 000002
【特許請求の範囲】
【請求項１】
かご天井の周囲に設けられる目地枠と、この目地枠に取付けられる遮へい板と、この遮へい板の浮き上がり、および水平方向のずれを防止する係止手段とを備えたエレベーターのかご天井構造において、
前記係止手段を、前記遮へい板の互いに対向した二方向に対として配置するとともに、これらの係止手段が、前記遮へい板端部の立ち上がり辺および水平辺に連続して形成される切欠きと、前記目地枠に設けられ、前記切欠きに遊嵌される遊嵌体とから成ることを特徴とするエレベーターのかご天井構造。
【請求項２】
前記遊嵌体が、略Ｌ字の断面形状を有し、その垂直辺が前記目地枠に取付けられるブラケットと、このブラケットの水平辺に装着されるボルトおよびナットとから成ることを特徴とする請求項１記載のエレベーターのかご天井構造。
【発明の詳細な説明】
【技術分野】
【０００１】
本発明は、かご天井に設けられる遮へい板の浮き上がり、および水平方向のずれを防止するエレベーターのかご天井構造に関する。
【背景技術】
【０００２】
かご天井の周囲に目地枠を設けるとともに、この目地枠内に遮へい板を取付けたエレベーターのかご天井構造にあって、遮へい板の浮き上がり、および水平方向のずれを防止するため、従来、目地枠の四方のそれぞれに、傾斜辺を有する係止手段、すなわち、発条板を取付け、この発条板が遮へい板を弾支するようにしたものが挙げられる（例えば、特許文献１参照）。
【特許文献１】特開平２−２５５４８５（第２頁下右欄〜第３頁上左欄、第１図、第２図）
【発明の開示】
【発明が解決しようとする課題】
【０００３】
しかしながら、前述したかご天井構造では、遮へい板の四方のそれぞれに係止手段を設ける必要があり、多くの部品員数を要するという問題がある。また、遮へい板の四方に係止手段があることから、順次、係止手段により遮へい板を係止するにつれ、残された係止手段と遮へい板との間隙が小さくなり、遮へい板の取付けが困難となって、作業に慣れを要するという問題もあった。
【０００４】
本発明は、前述した従来技術における実状からなされたもので、その目的は、比較的少ない部品員数で遮へい板の浮き上がり、および水平方向のずれを防止することができるとともに、容易に遮へい板を取付けることのできるエレベーターのかご天井構造を提供することにある。
【課題を解決するための手段】
【０００５】
前記目的を達成するために、本発明の請求項１に係る発明は、かご天井の周囲に設けられる目地枠と、この目地枠に取付けられる遮へい板と、この遮へい板の浮き上がり、および水平方向のずれを防止する係止手段とを備えたエレベーターのかご天井構造において、前記係止手段を、前記遮へい板の互いに対向した二方向に対として配置するとともに、これらの係止手段が、前記遮へい板端部の立ち上がり辺および水平辺に連続して形成される切欠きと、前記目地枠に設けられ、前記切欠きに遊嵌される遊嵌体とから成ることを特徴としている。
【０００６】
このように構成した本発明の請求項１に係る発明では、遮へい板をかご天井に取付ける場合、目地枠に設けられる遊嵌体を、遮へい板端部の立ち上がり辺および水平辺に形成された切欠きに遊嵌する。これによって、遮へい板の水平方向、すなわち、間口方向および奥行き方向のそれぞれの移動は、遊嵌体が遮へい板に接触すること、或いは遊嵌体が切欠き端部に接触することで抑制されるとともに、遮へい板の垂直方向の移動は、遊嵌体が遮へい板の上面に接触することで抑制される。したがって、遮へい板の互いに対向した二方向に配設された一対の係止手段で遮へい板の浮き上がり、間口方向および奥行き方向のずれを防止することができ、従来に比べて部品員数の低減を図ることができる。また、係止手段は遮へい板の二方向のみに設置されるとともに、遊嵌体を遮へい板端部の切欠きに遊嵌する構造であることから、容易に遮へい板をかご天井に取付けることもできる。
【０００７】
また、本発明の請求項２に係る発明は、前記遊嵌体が、略Ｌ字の断面形状を有し、その垂直辺が前記目地枠に取付けられるブラケットと、このブラケットの水平辺に装着されるボルトおよびナットとから成ることを特徴としている。
【０００８】
このように構成した本発明の請求項２に係る発明では、遮へい板の間口方向の移動は、ボルトおよびナットの一方が遮へい板に接触することで抑制されるとともに、奥行き方向の移動は、ブラケットが切欠き端部に接触することで抑制され、かつ、遮へい板の垂直方向の移動は、ブラケットが遮へい板の上面に接触することで抑制される。このように、遊嵌体を、略Ｌ字の断面形状を有するブラケット、このブラケットに装着されるボルトおよびナットといった簡易な構造で構成することができる。
【発明の効果】
【０００９】
本発明によれば、一対の係止手段で遮へい板の浮き上がり、間口方向および奥行き方向のずれを防止することができ、これによって、従来に比べて部品員数の低減を図り、ひいてはコストの低減を図ることができる。また、係止手段は遮へい板の二方向のみに設置されるとともに、遊嵌体を遮へい板端部の切欠きに遊嵌する構造であることから、容易に遮へい板をかご天井に取付けることができる。
【発明を実施するための最良の形態】
【００１０】
以下、本発明に係るエレベーターのかご天井構造の実施の形態を図に基づいて説明する。
【００１１】
図１は本発明に係るかご天井構造が適用されるエレベーターかごの概略構成図、図２はかご天井部分の縦断面図、図３は本発明に係るエレベーターのかご天井構造の一実施形態を示す要部縦断面図、図４は遮へい板の要部を示す斜視図、図５は遊嵌体の要部を示す斜視図である。
【００１２】
エレベーターのかご１は、図１に示すように、複数の側板２と、これらの側板２の上部に取付けられるかご天井３とを有しており、かご天井３には、図２に示すように、その周囲に設けられるとともに、略Ｌ字の断面形状を有する目地枠４と、端部が略Ｌ字状に折り曲げられるとともに、目地枠４の水平辺４ａに取付けられる遮へい板５とが備えられている。
【００１３】
そして、遮へい板５の浮き上がり、および水平方向のずれを防止する係止手段１０は、図３〜図５に示すように、遮へい板端部の立ち上がり辺５ａおよび水平辺５ｂに連続して形成される切欠き１１と、目地枠４に設けられ、切欠き１１に遊嵌される遊嵌体１２とを備えている。また、この係止手段１０は、遮へい板５の互いに対向した二方向に対となって配設される。
【００１４】
遊嵌体１２は、略Ｌ字の断面形状を有し、その垂直辺１２ａ１が目地枠４の垂直辺４ｂに取付けられるブラケット１２ａと、このブラケット１２ａの水平辺１２ａ２に装着されるボルト１２ｂおよびナット１２ｃとから成っている。また、ブラケット１２ａの垂直辺１２ａ１には貫通孔１２ａ３が形成され、取付けボルト１２ｄにより貫通孔１２ａ３を介してブラケット１２ａは目地枠４の垂直辺４ｂに取付けられる。
【００１５】
本実施形態にあっては、あらかじめ目地枠４に遊嵌体１２を装着しておく。そして、遮へい板５を取付ける場合、遮へい板５を斜めにしつつ移動し、遊嵌体１２と遮へい板５の切欠き１１とを対向させ、遊嵌体１２を切欠き１１に挿通し、図３に示すように、遊嵌体１２を遮へい板５に対して遊嵌状態とする。これによって、遮へい板５の間口方向の移動、すなわち、図３中左右方向の移動は、ボルト１２ｂの上端部が遮へい板５の立ち上がり辺５ａに接触することで抑制される。また、遮へい板５の奥行き方向の移動は、ブラケット１２ａが切欠き１１の端部に接触することで抑制される。さらに、遮へい板５の垂直方向の移動、すなわち、浮き上がりは、ブラケット１２ａの水平辺１２ａ２が遮へい板５の水平辺５ｂに接触することで抑制される。
【００１６】
本実施形態によれば、一対の係止手段１０で遮へい板５の浮き上がり、間口方向および奥行き方向のずれを防止することができ、これによって、従来に比べて部品員数の低減を図り、ひいてはコストの低減を図ることができる。また、係止手段１０は遮へい板５の二方向のみに設置されるとともに、遊嵌体１２を遮へい板端部の切欠き１１に遊嵌する構造であることから、容易に遮へい板５をかご天井３に取付けることができる。
【図面の簡単な説明】
【００１７】
【図１】本発明に係るかご天井構造が適用されるエレベーターかごの概略構成図である。
【図２】かご天井部分の縦断面図である。
【図３】本発明に係るエレベーターのかご天井構造の一実施形態を示す要部縦断面図である。
【図４】遮へい板の要部を示す斜視図である。
【図５】遊嵌体の要部を示す斜視図である。
【符号の説明】
【００１８】
１  かご
２  側板
３  かご天井
４  目地枠
４ａ  水平辺
４ｂ  垂直辺
５  遮へい板
５ａ  立ち上がり辺
５ｂ  水平辺
１０  係止手段
１１  切欠き
１２  遊嵌体
１２ａ  ブラケット
１２ａ１  垂直辺
１２ａ２  水平辺
１２ａ３  貫通孔
１２ｂ  ボルト
１２ｃ  ナット
【図２】
2010149969.tif 000003
【図３】
2010149969.tif 000004
【図４】
2010149969.tif 000005
【図５】
2010149969.tif 000006
【図１】
2010149969.tif 000007